(57)【特許請求の範囲】
【請求項１】
投入された紙幣を繰り出す投入部と、
該投入部から繰り出された紙幣を識別する識別部と、
該識別部で正常と識別された紙幣を貯留する一時貯留部と、
該一時貯留部に貯留している紙幣の貯留枚数を記憶する記憶手段と、
前記一時貯留部に貯留している紙幣を収納する収納部と、
前記一時貯留部に貯留している紙幣を返却可能な返却部と、
を有する紙幣処理機であって、
前記一時貯留部内の所定の高さ位置の紙幣を検知する検知手段と、
該検知手段が紙幣を検知したときに、前記記憶手段に記憶された前記貯留枚数と所定の閾値とを比較し、前記貯留枚数が前記閾値より少なければ集積不良が発生したと判定する判定手段と、
該判定手段が集積不良が発生したと判定すると、前記投入部からの紙幣の繰り出しを停止状態とするとともに前記一時貯留部の紙幣を前記返却部で返却可能とする制御手段と、
を備え、
前記検知手段が、前記一時貯留部内の複数の異なる高さ位置の紙幣を検知可能となるように複数設けられており、
前記判定手段は、前記複数の検知手段のそれぞれに対して個別の前記閾値を持ち、前記複数の検知手段のいずれか一つが紙幣を検知すると、当該紙幣を検知した検知手段用の前記閾値より前記貯留枚数が少なければ集積不良が発生したと判定することを特徴とする紙幣処理機。
【請求項２】
前記検知手段が三つ以上設けられ、これら検知手段が同一直線上に連続的に配置されていることを特徴とする請求項１記載の紙幣処理機。
【請求項３】
前記複数の検知手段のうち、最上位置のものは、前記一時貯留部の満杯状態を判断する高さの紙幣を検知する満杯検知手段であることを特徴とする請求項１または２記載の紙幣処理機。
【請求項４】
前記制御手段は、前記満杯検知手段以外の検知手段が紙幣を検知したときには、前記判定手段が集積不良が発生したと判定して初めて、前記投入部からの紙幣の繰り出しを停止させるとともに前記一時貯留部の紙幣を前記返却部で返却可能とすることを特徴とする請求項３記載の紙幣処理機。
【請求項５】
前記制御手段は、前記満杯検知手段以外の検知手段が紙幣を検知したときには、一旦前記投入部からの紙幣の繰り出しを停止させるとともに、前記判定手段が集積不良が発生したと判定すると、前記投入部からの紙幣の繰り出しを停止状態に維持したまま前記一時貯留部の紙幣を前記返却部で返却可能とする一方、前記判定手段が集積不良が発生していないと判定すると、前記投入部からの紙幣の繰り出しを再開させることを特徴とする請求項３記載の紙幣処理機。
【請求項６】
前記一時貯留部が、既に貯留している紙幣の下側に順次紙幣を潜り込ませて集積させることを特徴とする請求項１乃至５のいずれか一項記載の紙幣処理機。
【請求項７】
前記検知手段は、紙幣の検知状態が所定時間連続しない場合、紙幣の検知を無効とすることを特徴とする請求項１乃至６のいずれか一項記載の紙幣処理機。
【請求項８】
前記一時貯留部の紙幣が前記返却部で返却可能となると、当該状況を案内する案内手段を有することを特徴とする請求項１乃至７のいずれか一項記載の紙幣処理機。
【発明の詳細な説明】
【技術分野】
【０００１】
本発明は、紙幣を一時貯留後に収納する紙幣処理機に関する。
【背景技術】
【０００２】
紙幣処理機においては、投入口に投入された紙幣を識別部で識別し、正常と識別された紙幣を返却可能とするべく一旦一時貯留部に貯留し、承認操作の入力を受けて一時貯留部から収納部に収納する構成のものが多く知られている。このような紙幣処理機の中には、収納部の空き容量を算出して、収納部に収納可能な紙幣量を一時貯留部の貯留可能量に設定することによって、収納部内の紙幣の回収処理を回避し、収納部の空き容量を最大限に利用することができるものがある（例えば、特許文献１参照）。
【先行技術文献】
【特許文献】
【０００３】
【特許文献１】特許第３０４９１８８号公報
【発明の概要】
【発明が解決しようとする課題】
【０００４】
ところで、上述した紙幣処理機では、一時貯留部で紙幣の集積不良が発生した場合であっても、これを検出することができないという問題があった。このように一時貯留部で紙幣の集積不良が発生すると、収納部への収納時に適正に収納できずに一時貯留部に不正に残留してしまったり、収納部に収納された場合であっても、集積不良の状態のまま収納されてしまう可能性があった。
【０００５】
したがって、本発明は、一時貯留部での紙幣の集積不良を簡易に検出することができる紙幣処理機の提供を目的とする。
【課題を解決するための手段】
【０００６】
上記目的を達成するために、請求項１に係る発明は、投入された紙幣を繰り出す投入部と、該投入部から繰り出された紙幣を識別する識別部と、該識別部で正常と識別された紙幣を貯留する一時貯留部と、該一時貯留部に貯留している紙幣の貯留枚数を記憶する記憶手段と、前記一時貯留部に貯留している紙幣を収納する収納部と、前記一時貯留部に貯留している紙幣を返却可能な返却部と、を有する紙幣処理機であって、前記一時貯留部内の所定の高さ位置の紙幣を検知する検知手段と、該検知手段が紙幣を検知したときに、前記記憶手段に記憶された前記貯留枚数と所定の閾値とを比較し、前記貯留枚数が前記閾値より少なければ集積不良が発生したと判定する判定手段と、該判定手段が集積不良が発生したと判定すると、前記投入部からの紙幣の繰り出しを停止状態とするとともに前記一時貯留部の紙幣を前記返却部で返却可能とする制御手段と、を備え、前記検知手段が、前記一時貯留部内の複数の異なる高さ位置の紙幣を検知可能となるように複数設けられており、前記判定手段は、前記複数の検知手段のそれぞれに対して個別の前記閾値を持ち、前記複数の検知手段のいずれか一つが紙幣を検知すると、当該紙幣を検知した検知手段用の前記閾値より前記貯留枚数が少なければ集積不良が発生したと判定することを特徴としている。
【０００９】
請求項２に係る発明は、請求項１に係る発明において、前記検知手段が三つ以上設けられ、これら検知手段が同一直線上に連続的に配置されていることを特徴としている。
【００１０】
請求項３に係る発明は、請求項１または２に係る発明において、前記複数の検知手段のうち、最上位置のものは、前記一時貯留部の満杯状態を判断する高さの紙幣を検知する満杯検知手段であることを特徴としている。
【００１１】
請求項４に係る発明は、請求項３に係る発明において、前記制御手段は、前記満杯検知手段以外の検知手段が紙幣を検知したときには、前記判定手段が集積不良が発生したと判定して初めて、前記投入部からの紙幣の繰り出しを停止させるとともに前記一時貯留部の紙幣を前記返却部で返却可能とすることを特徴としている。
【００１２】
請求項５に係る発明は、請求項３に係る発明において、前記制御手段は、前記満杯検知手段以外の検知手段が紙幣を検知したときには、一旦前記投入部からの紙幣の繰り出しを停止させるとともに、前記判定手段が集積不良が発生したと判定すると、前記投入部からの紙幣の繰り出しを停止状態に維持したまま前記一時貯留部の紙幣を前記返却部で返却可能とする一方、前記判定手段が集積不良が発生していないと判定すると、前記投入部からの紙幣の繰り出しを再開させることを特徴としている。
【００１３】
請求項６に係る発明は、請求項１乃至５のいずれか一項に係る発明において、前記一時貯留部が、既に貯留している紙幣の下側に順次紙幣を潜り込ませて集積させることを特徴としている。
【００１４】
請求項７に係る発明は、請求項１乃至６のいずれか一項に係る発明において、前記検知手段は、紙幣の検知状態が所定時間連続しない場合、紙幣の検知を無効とすることを特徴としている。
【００１５】
請求項８に係る発明は、請求項１乃至７のいずれか一項に係る発明において、前記一時貯留部の紙幣が前記返却部で返却可能となると、当該状況を案内する案内手段を有することを特徴としている。
【発明の効果】
【００１６】
請求項１に係る発明によれば、検知手段が、一時貯留部内の所定の高さ位置の紙幣を検知すると、判定手段が、記憶手段に記憶された一時貯留部内に貯留している紙幣の貯留枚数と所定の閾値とを比較し、貯留枚数が閾値より少なければ集積不良が発生したと判定することになる。つまり、検知手段が一時貯留部内の所定の高さ位置の紙幣を検知しても、一時貯留部内の紙幣の貯留枚数が、この高さ位置に見合った貯留枚数ではない場合、例えば折り癖やカール癖のある紙幣が集積されることで集積不良が発生したと判定する。よって、一時貯留部での紙幣の集積不良を簡易に検出することができる。また、判定手段が集積不良が発生したと判定すると、制御手段が投入部からの紙幣の繰り出しを停止状態とするとともに一時貯留部の紙幣を返却部で返却可能とするため、紙幣がさらに一時貯留部に送り込まれて集積不良を悪化させてしまうことを防止するとともに、集積不良の紙幣を返却することができる。
【００１８】
また、複数の検知手段のうちのいずれか一つが、一時貯留部内の紙幣を検知すると、判定手段が、記憶手段に記憶された一時貯留部内の紙幣の貯留枚数とこの検知手段用の個別の閾値とを比較し、貯留枚数が閾値より少なければ集積不良が発生したと判定することになるため、複数の高さ位置で集積不良を検出することができる。したがって、集積不良の検出精度を高めることができる。
【００１９】
請求項２に係る発明によれば、検知手段が三つ以上設けられ、これら検知手段が同一直線上に連続的に配置されているため、集積不良の検出精度をさらに高めることができる。また、ラインセンサを用いることができるため、取り付け等が容易になる。
【００２０】
請求項３に係る発明によれば、複数の検知手段のうち、最上位置のものは、一時貯留部の満杯状態を判断する高さの紙幣を検知する満杯検知手段であるため、満杯検知手段を集積不良の判定に有効利用することができる。
【００２１】
請求項４に係る発明によれば、制御手段は、満杯検知手段以外の検知手段が紙幣を検知したときには、判定手段が集積不良が発生したと判定して初めて、投入部からの紙幣の繰り出しを停止させるため、満杯検知手段以外の検知手段が紙幣を検知しても集積不良が発生していなければ、投入部からの紙幣の繰り出しを停止させることがない。よって、集積不良が発生していない状態での処理の時間を短縮できる。
【００２２】
請求項５に係る発明によれば、制御手段は、満杯検知手段以外の検知手段が紙幣を検知したときには、一旦投入部からの紙幣の繰り出しを停止させるとともに、判定手段が集積不良が発生したと判定すると、投入部からの紙幣の繰り出しを停止状態に維持するため、集積不良が発生している状態で紙幣が一時貯留部に送り込まれることを確実に防止でき、集積不良を悪化させてしまうことを確実に防止できる。
【００２３】
請求項６に係る発明によれば、一時貯留部が、既に貯留している紙幣の下側に順次紙幣を潜り込ませて集積させるものであるため、上側から紙幣を送り込む場合のように検知手段での紙幣の検知を、紙幣の送り込み時の一時的なものと集積によるものとに区別する必要がなく誤検知の可能性を低減できる。
【００２４】
請求項７に係る発明によれば、検知手段は、紙幣の検知状態が所定時間連続しない場合、紙幣の検知を無効とするため、例えば、紙幣の一時貯留部への送り込み時の一時的な検知等を集積不良の判定から排除することができる。
【００２５】
請求項８に係る発明によれば、一時貯留部の紙幣が返却部で返却可能になると、当該状況を案内手段が案内することになるため、集積不良を生じた紙幣が返却可能であることを確実に操作者に知らせることができる。
【図面の簡単な説明】
【００２６】
【図１】参考技術の紙幣処理機を概略的に示す側断面図である。
【図２】参考技術の紙幣処理機の要部を示す側断面図である。
【図３】参考技術の紙幣処理機の要部を示す側断面図であって紙幣の正常な集積状態を示すものである。
【図４】参考技術の紙幣処理機の要部を示す側断面図であって紙幣の一時貯留部から収納金庫への収納落下時の状態を示すものである。
【図５】参考技術の紙幣処理機の要部を示す側断面図であって紙幣の集積不良状態を示すものである。
【図６】本発明に係る第１実施形態の紙幣処理機の要部を示す側断面図である。
【図７】参考技術の紙幣処理機の変形例の要部を示す側断面図である。
【発明を実施するための形態】
【００２７】
参考技術の紙幣処理機を図１〜図５を参照して以下に説明する。
参考技術、実施形態の紙幣処理機１１は、バラの紙幣Ｓの入金および収納処理を行うことが可能な入金専用の紙幣入金機であるが、さらに収納した紙幣Ｓを出金させる還流式の紙幣入出金機等、他の紙幣処理機にも適用可能である。
【００２８】
参考技術の紙幣処理機１１は、図１に概略的に示すように、機体の前面側の上部に機外からバラ紙幣Ｓが投入される投入部１２が設けられ、この投入部１２の下側に機体内からリジェクト紙幣Ｓが繰り出されるリジェクト口１３が設けられている。
【００２９】
投入部１２は、水平に対し若干後ろ下がりに傾斜してその底をなす載置台１５を有しており、この載置台１５上に紙幣Ｓが上下方向に集積された状態で装填される。なお、載置台１５を水平に配置しても良い。
【００３０】
また、投入部１２は、載置台１５の機体奥側上方に機体左右方向に沿って配設された回動軸１６と、この回動軸１６に回動可能に支持されて載置台１５の上側で上下に揺動可能とされ、載置台１５上に装填された紙幣Ｓを載置台１５との間で挟持するビルプレス１７とを有している。
【００３１】
また、投入部１２は、載置台１５の機体奥側に、上記のように載置台１５上に装填されたバラ紙幣Ｓを、下側のものから一枚ずつ分離して機体内に繰り出す分離繰出機構２０を有している。
【００３２】
この分離繰出機構２０は、載置台１５から上部を一部突出させた状態で機体左右方向に沿う軸回りに回転可能に設けられた蹴出ローラ２１と、載置台１５よりも機体奥側に蹴出ローラ２１と平行な軸回りに回転可能に設けられた繰出ローラ２２と、この繰出ローラ２２の上側に繰出ローラ２２と平行な軸回りに回転可能に設けられた分離ローラ２３とを有している。分離ローラ２３は、図示せぬワンウエイクラッチによって繰出ローラ２２側が機体奥方に移動する方向の回転が規制され、逆方向の回転のみ許容される。
【００３３】
分離繰出機構２０は、載置台１５上に装填されたバラ紙幣Ｓの最下のものを蹴出ローラ２１で繰出ローラ２２と分離ローラ２３との間に蹴り出し、この蹴り出し時に最下の紙幣Ｓに引きずられて繰出ローラ２２と分離ローラ２３との間に移動した紙幣Ｓを分離ローラ２３で止めて蹴り出された最下の紙幣Ｓのみを繰出ローラ２２で機体奥側方向に繰り出す。
【００３４】
投入部１２の分離繰出機構２０の機体奥側には、分離繰出機構２０から繰り出された紙幣Ｓを搬送する搬送部２５が接続されている。この搬送部２５は、図示は略すが紙幣を案内する複数のガイド板と搬送ローラと振分部材等で構成されるもので、分離繰出機構２０から略水平に沿って機体奥側に延出した後に下側に折り返し略水平に沿って機体手前側に延出してリジェクト口１３に接続される搬送路２６と、この搬送路２６の途中から前下がりに延出する搬送路２７とを有している。搬送路２６には、投入部１２から繰り出され、この搬送路２６で搬送中の紙幣Ｓの金種、真偽、正損および搬送異常の識別と計数とを行う識別部３０が設けられている。
【００３５】
搬送部２５の搬送路２７の端末位置には、識別部３０により真紙幣かつ正紙幣かつ正常搬送と識別された紙幣Ｓを金種混合で貯留する一時貯留部３２が接続されている。なお、搬送部２５の搬送路２７には、図２に示すように、その端末位置つまり一時貯留部３２への接続位置に、搬送方向に対する直交方向に沿い且つ搬送される紙幣Ｓに平行をなす搬送ローラ３４と、この搬送ローラ３４の下側でこの搬送ローラ３４と平行をなす羽根車３５とが設けられている。羽根車３５には複数の羽部３６が等間隔で放射状に形成されており、回転時にこれらの羽部３６の一部が一時貯留部３２内で旋回する。具体的に羽根車３５は一時貯留部３２内の羽部３６を下方に移動させる方向（図の反時計回り方向）に回転することになる。
【００３６】
さらに、一時貯留部３２の下側には、一時貯留部３２に一時貯留された紙幣Ｓを上部開口から受け入れて収納する収納金庫（収納部）４０が設けられている。
【００３７】
なお、図１に示す投入部１２には、紙幣Ｓが分離繰出機構２０の分離繰出方向に長手方向を沿わせる姿勢で装填されることになり、搬送部２５は紙幣Ｓをその長手方向を搬送方向に沿わせた姿勢で搬送し、その長手方向を放出方向に沿わせた姿勢で一時貯留部３２およびリジェクト口１３のいずれかに放出させる。
【００３８】
図２に示すように、一時貯留部３２は、搬送路２７の放出方向前方に鉛直に立設された前壁部４２と、搬送路２７の放出方向後側に鉛直に立設された後壁部４３と、これら前壁部４２および後壁部４３の左右同側同士を接続させる鉛直に立設された一対の側壁部４４（各図面では断面とした関係上一方のみ図示）とを有する角筒状の壁部構成体４５と、角筒状の壁部構成体４５の下部開口を開閉させるとともに閉時に一時貯留部３２の底部を構成するシャッタ４６とを有している。ここで、シャッタ４６は、一対の側壁部４４の中央位置で分割された形状をなし互いに近接して壁部構成体４５の下部開口を閉塞するとともに互いに離間する方向に水平移動することで壁部構成体４５の下部開口を開放する一対のシャッタ部材４７（各図面では断面とした関係上一方のみ図示）で構成されている。
【００３９】
ここで、前壁部４２は、図示略の鉛直軸を中心に揺動することで開閉可能な扉４８の後部に形成されており、この扉４８はロック機構４９によって閉状態に維持される。扉４８が開放されることで一時貯留部３２が機外に開口し、一時貯留部３２に貯留された紙幣Ｓを機外に返却可能となっている。なお、ロック機構４９は、扉４８が閉状態とされると扉４８を自動的かつ機械的にロックし、ロック解除信号を受けると電磁式にロックを解除し扉４８を開放可能な状態とする。扉４８の近傍には、扉４８が閉状態にあるか否かを検知する開閉センサ５０が設けられている。これら扉４８、ロック機構４９および開閉センサ５０が、一時貯留部３２に貯留された紙幣Ｓを返却可能な返却部５１を構成している。
【００４０】
上記した羽根車３５は、後壁部４３の上部外側に回転中心が設けられており、複数の羽部３６を同時に後壁部４３から前壁部４２側に突出させ、しかも回転時に羽部３６の先端がシャッタ４６に接触せず且つシャッタ４６の近傍で移動するように寸法が設定されている。
【００４１】
一時貯留部３２には、一対の側壁部４４の所定の高さ位置に配置されてこの位置の紙幣Ｓの長手方向部分を検知する紙幣検知センサ（検知手段，満杯検知手段）５３が設けられている。この紙幣検知センサ５３は、一時貯留部３２の紙幣Ｓの集積高さを検知するものであり、具体的に、一時貯留部３２の満杯状態を判断する高さの紙幣Ｓを検知する満杯検知センサである。つまり、この紙幣検知センサ５３で紙幣Ｓが検知された状態では一時貯留部３２の紙幣Ｓが満杯状態にあると判断し、この紙幣検知センサ５３で紙幣Ｓが検知されない状態では一時貯留部３２の紙幣Ｓが満杯状態にないと判断するのである。この紙幣検知センサ５３は発光素子と受光素子とからなる光学式のもので、光路が紙幣Ｓで遮光されることで紙幣Ｓを検知するメカフル検知方式のものである。また、一時貯留部３２には、一時貯留部３２内の紙幣Ｓの残留を検知する残留検知センサ５４が設けられている。
【００４２】
紙幣処理機１１には、さらに、上記した投入部１２の分離繰出機構２０、搬送部２５、識別部３０、シャッタ４６、ロック機構４９等を制御する制御部（記憶手段，判定手段，制御手段）５５と、操作者への表示を行う表示部（案内手段）５６と、操作者による操作入力が行われる操作部５７とが設けられている。
【００４３】
以上の紙幣処理機１１では、入金処理の開始にあたって、操作者が投入部１２のビルプレス１７を持ち上げてこれと載置台１５との間に紙幣Ｓを、その長手方向を機体前後方向に沿わせた状態で装填する。このとき、金種混合の装填および単一金種の装填のいずれも可能である。そして、操作者が操作部５７に入金処理開始を操作を入力すると、制御部５５が入金処理を開始するべく、分離繰出機構２０と搬送部２５とを駆動する。すると、投入部１２に装填された紙幣Ｓが最下のものから一枚ずつ機内に繰り出され、搬送部２５で搬送される。搬送部２５による搬送途中で識別部３０により識別が行われることになり、正常であり受け入れ可能と識別された紙幣Ｓが一時貯留部３２内に放出され、それ以外の紙幣Ｓがリジェクト口１３に放出される。なお、リジェクト口１３に放出された紙幣Ｓはそのまま機外へ取り出し可能となる。
【００４４】
制御部５５は、この入金処理の最中に、識別部３０の識別に基づいて、今回の入金処理で正常と識別された紙幣Ｓの金種別の枚数の計数値を、順次更新しながら記憶する。言い換えれば、複数の紙幣Ｓが一枚ずつ順に識別部３０によって識別されると、制御部５５は、識別の度に、その後一時貯留部３２に貯留される紙幣Ｓの貯留枚数を更新記憶していくことになる。これにより、制御部５５は、一時貯留部３２に貯留している紙幣Ｓの貯留枚数を記憶することになる。
【００４５】
そして、搬送ローラ３４と羽根車３５とで一時貯留部３２に放出される際に、紙幣Ｓは、羽根車３５で後端部が下方に叩かれ、しかも羽根車３５の摩擦力で後端部が後壁部４３に引き寄せられて当接させられることになる。このようにして、一時貯留部３２に順次放出される紙幣Ｓは、図３に示すように、後壁部４３で後端部が取り揃えられて順次下から上へと集積されて行く。
【００４６】
上記のようにして、投入部１２に装填された紙幣Ｓが、リジェクト口１３および一時貯留部３２のいずれかに放出されることですべてなくなると、制御部５５は、分離繰出機構２０および搬送部２５を停止させて、識別部３０の識別結果に基づいて一時貯留部３２に一時貯留された紙幣Ｓの識別結果を表示部５６に表示させる。この表示を見て操作者がキャンセル操作を操作部５７に入力すると、制御部５５は、今回の入金処理での紙幣Ｓの識別結果のデータを、記憶したデータから除くとともに、返却部５１のロック機構４９を駆動して扉４８のロックを解除して扉４８を開放可能とする。すると、操作者が扉４８を開いて直接一時貯留部３２の紙幣Ｓを取り出すことになる。制御部５５は、残留検知センサ５４で一時貯留部３２からの紙幣Ｓの取り出しが検知され、かつ、返却部５１のロック機構４９による扉４８の閉状態でのロックが開閉センサ５０で検出されると、次の入金処理を許可する。
【００４７】
他方、表示を見て操作者が承認操作を操作部５７に入力すると、制御部５５は、今回の入金処理での紙幣Ｓの識別結果のデータを確定して記憶するとともに、停止していた羽根車３５を上記と同様に一時貯留部３２内の羽部３６が下方に移動する方向に回転させると同時にシャッタ４６を開作動させる、つまり両シャッタ部材４７を相反方向にスライドさせる。すると、シャッタ部材４７の離間で開放された一時貯留部３２の下部開口から、図４に示すように、紙幣Ｓが下方に落下することになる。このとき、落下初期において、回転する羽根車３５の羽部３６が落下する紙幣Ｓの羽根車３５側を上側から下方に叩くことになる。このようにして、一時貯留部３２にあった紙幣Ｓが収納金庫４０に収納されることになり、紙幣Ｓが確実に収納金庫４０に受け渡されるタイミングで制御部５５は羽根車３５を停止させるとともにシャッタ４６を閉状態に戻して、次の入金処理を許可することになる。
【００４８】
なお、以上の入金処理中に、紙幣検知センサ５３が紙幣Ｓを検知すると、制御部５５は、投入部１２の分離繰出機構２０を停止させて投入部１２からの紙幣Ｓの繰り出しを停止状態とするとともに、搬送部２５に残留している搬送中の紙幣Ｓを識別部３０の識別結果に基づいてリジェクト口１３および一時貯留部３２のいずれか対応する一方に搬送する。ここで、紙幣検知センサ５３の位置は、これで紙幣Ｓを検知して分離繰出機構２０を停止させてから、搬送部２５に残留している搬送中の紙幣Ｓをすべて一時貯留部３２に貯留可能となるように、完全な満杯に対して若干余裕をもって設定されている。勿論、分離繰出機構２０の停止後、搬送部２５に残留している搬送中の紙幣Ｓを識別部３０の識別結果にかかわらずすべてリジェクト口１３に搬送しても良い。
【００４９】
上記のように紙幣検知センサ５３が紙幣Ｓを検知すると、制御部５５は、一方で、上記のように記憶している、検知時点で一時貯留部３２に貯留している紙幣Ｓの貯留枚数を、予め別途記憶している所定の閾値と比較する。この所定の閾値は、一時貯留部３２内が満杯であると判定する下限の紙幣Ｓの枚数である。そして、制御部５５は、一時貯留部３２の貯留枚数が閾値以上であれば、一時貯留部３２が満杯であると判定して、以下の満杯対応処理を行う。
【００５０】
つまり、搬送部２５に残留する紙幣Ｓがなくなったことを条件に、制御部５５は、搬送部２５を停止させて、表示部５６に一時貯留部３２が満杯である旨と、現在の一時貯留部３２に一時貯留された紙幣Ｓの識別結果とを表示部５６に表示させる。この表示を見て操作者がキャンセル操作を操作部５７に入力すると、制御部５５は、今回の入金処理での紙幣Ｓの識別結果を、記憶したデータから除くとともに、返却部５１のロック機構４９を駆動して扉４８のロックを解除して扉４８を開放可能とする。すると、操作者が扉４８を開いて直接一時貯留部３２の紙幣Ｓを取り出すことになる。制御部５５は、残留検知センサ５４で一時貯留部３２からの紙幣Ｓの取り出しが検知され、かつ、返却部５１のロック機構４９による扉４８の閉状態でのロックが開閉センサ５０で検出されると、満杯対応処理を終了し、次の入金処理を許可する。
【００５１】
他方、上記表示を見て操作者が承認操作を操作部５７に入力すると、制御部５５は、今回の入金処理での紙幣Ｓの識別結果のデータを確定して記憶するとともに、停止していた羽根車３５を上記と同様に一時貯留部３２内の羽部３６が下方に移動する方向に回転させると同時にシャッタ４６を開作動させる、つまり両シャッタ部材４７を相反方向にスライドさせる。すると、シャッタ部材４７の離間で開放された一時貯留部３２の下部開口から、図４に示すように、紙幣Ｓが収納金庫４０に収納されることになる。紙幣Ｓが確実に収納金庫４０に受け渡されるタイミングで制御部５５は羽根車３５を停止させるとともにシャッタ４６を閉状態に戻す。そして、制御部５５は、満杯対応処理を終了し、次の入金処理を許可することになる。よって、操作者が、再び操作部５７に入金開始を操作を入力すると、制御部５５は、投入部１２に残存している紙幣Ｓについて、再び入金処理を行うことになる。
【００５２】
また、制御部５５は、上記した紙幣検知センサ５３による紙幣Ｓの検知時点で一時貯留部３２に貯留している紙幣Ｓの貯留枚数が、上記した所定の閾値より少なければ、集積不良が発生したと判定して、以下の集積不良対応処理を行う。
【００５３】
つまり、搬送部２５に残留する紙幣Ｓがなくなったことを条件に、制御部５５は、搬送部２５を停止させた後、返却部５１のロック機構４９を駆動して扉４８のロックを解除して扉４８を開放可能とし一時貯留部３２の紙幣Ｓを返却可能とするとともに、今回の入金処理での紙幣Ｓの識別結果のデータを、記憶したデータから除き、さらに集積不良が発生した旨の表示と、一時貯留部３２の紙幣Ｓが返却可能となった旨の表示と、紙幣Ｓの一時貯留部３２からの取り出しおよび折り癖やカール癖の解除を指示する旨の表示とを表示部５６に表示させる。つまり、この場合は、例えば、図５に示すように折り癖のある紙幣Ｓが一時貯留部３２に放出された際に折り癖で折り畳み状態に戻る等して、この紙幣Ｓあるいはこの紙幣Ｓの上に集積される紙幣Ｓ等が紙幣検知センサ５３で検知される状態であるため、一時貯留部３２の紙幣Ｓを強制的に返却する。
【００５４】
上記した集積不良が発生した旨等の表示から、操作者が扉４８を開いて直接一時貯留部３２の紙幣Ｓを取り出すことになり、制御部５５は、残留検知センサ５４で一時貯留部３２からの紙幣Ｓの取り出しが検知され、かつ、返却部５１のロック機構４９による扉４８の閉状態でのロックが開閉センサ５０で検出されると、集積不良対応処理を終了し、次の入金処理を許可する。なお、操作者は、取り出した紙幣Ｓから、集積不良の原因となった紙幣Ｓの折り癖やカール癖を解除する等して、投入部１２に装填し直して、入金処理をもう一度行うことになる。なお、集積不良発生後、入金処理をやり直す場合に、操作部５７への操作等で入金処理のやり直しを制御部５５が認識するようにすれば、所定の複数回やり直しても集積不良が発生した場合に、表示部５６に原因紙幣の他の代替え紙幣への交換や原因紙幣分のデータの手入力等を案内するようにすることも可能となる。
【００５５】
以上において、一時貯留部３２に投入された紙幣Ｓは、落下時に紙幣検知センサ５３を一時的に横切ることになるため、制御部５５は、紙幣検知センサ５３による紙幣Ｓの検知状態が所定時間連続しない場合、紙幣検知センサ５３による紙幣Ｓの検知を無効とし、紙幣検知センサ５３による紙幣Ｓの検知状態が所定時間連続した場合に、紙幣検知センサ５３による紙幣Ｓの検知を有効とする。
【００５６】
以上に述べた参考技術の紙幣処理機１１によれば、紙幣検知センサ５３が、一時貯留部３２内の所定の高さ位置の紙幣Ｓを検知すると、制御部５５が、記憶している一時貯留部３２内に貯留している紙幣Ｓの貯留枚数と所定の閾値とを比較し、貯留枚数が閾値より少なければ集積不良が発生したと判定することになる。つまり、紙幣検知センサ５３が一時貯留部３２内の所定の高さ位置の紙幣Ｓを検知しても、一時貯留部３２内の紙幣Ｓの貯留枚数が、この高さ位置に見合った貯留枚数ではない場合、例えば折り癖やカール癖のある紙幣Ｓが集積されることで集積不良が発生したと判定する。よって、一時貯留部３２での紙幣Ｓの集積不良を簡易に検出することができる。より具体的に、１００枚集積可能な一時貯留部３２において、閾値である５０枚より少ない枚数、例えば１０枚あるいは２０枚程度で紙幣検知センサ５３が紙幣Ｓを検知すると、集積不良が発生したと判定することになる。
【００５７】
また、制御部５５が集積不良が発生したと判定すると、投入部１２からの紙幣Ｓの繰り出しを停止状態とするとともに一時貯留部３２の紙幣Ｓを返却部５１で返却可能とするため、紙幣Ｓがさらに一時貯留部３２に送り込まれて集積不良を悪化させてしまうことを防止するとともに、集積不良の紙幣Ｓを返却することができる。
【００５８】
また、紙幣検知センサ５３が、一時貯留部３２の満杯状態を判断する高さの紙幣Ｓを検知するものであるため、満杯検知用の紙幣検知センサ５３を集積不良の判定に有効利用することができる。
【００５９】
また、紙幣検知センサ５３は、紙幣Ｓの検知状態が所定時間連続しない場合、紙幣Ｓの検知を無効とするため、紙幣Ｓの一時貯留部３２への送り込み時の一時的な検知等を集積不良の判定から排除することができる。
【００６０】
また、一時貯留部３２の紙幣Ｓが返却部５１で返却可能になると、当該状況を表示部５６が案内することになるため、集積不良を生じた紙幣Ｓが返却可能であることを確実に操作者に知らせることができる。
【００６１】
また、紙幣Ｓの折り癖やカール癖は長手方向に発生しやすいことから、紙幣検知センサ５３が紙幣Ｓの長手方向部分を検知することにより、紙幣Ｓの折り癖やカール癖に対する検知の信頼性を高めることができる。
【００６２】
本発明に係る第１実施形態の紙幣処理機を主に図６を参照して参考技術との相違部分を中心に以下に説明する。なお、参考技術と同様の部分は同一の符号を付しその説明は略す。
【００６３】
第１実施形態の紙幣処理機では、参考技術の紙幣検知センサ５３にかえて、ラインセンサ６１が上下方向に延在する姿勢で一時貯留部３２に設けられている。
【００６４】
このラインセンサ６１は、それぞれが個別に紙幣Ｓを検知可能な紙幣検知部（検知手段）６２が三つ以上、ラインセンサ６１の長さ方向に沿う同一直線上に連続的に配置されて構成されている。つまり、紙幣検知部６２は、一時貯留部３２内の複数の異なる高さ位置の紙幣Ｓを検知可能となるように複数設けられている。そして、制御部５５は、複数の紙幣検知部６２のそれぞれに対して個別の閾値を持っている。それぞれの閾値は、対応する紙幣検知部６２の高さ位置で紙幣Ｓが検知されたときに、それ以上あれば集積不良なく集積された状態であると判定できる枚数であり、よって、閾値は、紙幣検知部６２の高さが高くなるほど、大きくなるように設定されている。
【００６５】
そして、ラインセンサ６１の最上位置の紙幣検知部６２は、一時貯留部３２の満杯状態を判断する高さの紙幣Ｓを検知する。つまり、この最上位置の紙幣検知部６２で紙幣Ｓが検知された状態では一時貯留部３２の紙幣Ｓが満杯状態にあると判断し、この最上位置の紙幣検知部６２で紙幣Ｓが検知されない状態では一時貯留部３２の紙幣Ｓが満杯状態にないと判断するのである。なお、この場合も、制御部５５は、いずれの紙幣検知部６２においても、紙幣Ｓの検知状態が所定時間連続しない場合、紙幣Ｓの検知を無効とし、紙幣Ｓの検知状態が所定時間連続した場合に、紙幣Ｓの検知を有効とする。
【００６６】
このような第１実施形態において、入金処理中に、ラインセンサ６１のうちの最上位置の紙幣検知部６２を除く紙幣検知部６２が、紙幣Ｓを検知すると、制御部５５は、まず、この今回紙幣Ｓを検知した紙幣検知部６２よりも下側のすべての紙幣検知部６２が紙幣Ｓを検知しているか否かを判定する。
【００６７】
この判定で、今回紙幣Ｓを検知した紙幣検知部６２よりも下側の少なくともいずれか一つの紙幣検知部６２が紙幣Ｓを検知していなければ、集積不良が発生したと判定して、投入部１２の分離繰出機構２０を停止させて投入部１２からの紙幣Ｓの繰り出しを停止状態とするとともに、搬送部２５に残留している搬送中の紙幣Ｓを識別部３０の識別結果に基づいてリジェクト口１３および一時貯留部３２のいずれか対応する一方に搬送して、参考技術と同様の集積不良対応処理を行う。つまり、正常に集積が行われていれば、ラインセンサ６１の紙幣検知部６２のうち下側のものから順に紙幣Ｓを検知することになり、一旦検知を行ったものは非検知状態になることがないため、これに反する上記した状態を検知することで、集積不良を検出するのである。
【００６８】
他方、上記判定で、今回紙幣Ｓを検知した紙幣検知部６２よりも下側のすべての紙幣検知部６２が紙幣Ｓを検知していれば、制御部５５は、この検知時点で一時貯留部３２に貯留している紙幣Ｓの貯留枚数を、予め別途記憶している、今回紙幣Ｓを検知した紙幣検知部６２用の所定の閾値と比較する。そして、制御部５５は、一時貯留部３２の貯留枚数が閾値以上であれば、集積不良が生じていないと判定して、そのまま入金処理を継続することになる。なお、ラインセンサ６１のうちの最下位置の紙幣検知部６２が紙幣Ｓを検知した場合は、その下側に紙幣検知部６２がないため、上記判定は行わずに、検知時点で一時貯留部３２に貯留している紙幣Ｓの貯留枚数を、最下位置の紙幣検知部６２用の所定の閾値と即座に比較する。
【００６９】
また、制御部５５は、上記比較で、ラインセンサ６１のうちの最上位置の紙幣検知部６２を除く紙幣検知部６２による紙幣Ｓの検知時点で一時貯留部３２に貯留している紙幣Ｓの貯留枚数が、予め別途記憶している、今回紙幣Ｓを検知した紙幣検知部６２用の所定の閾値より少なければ、集積不良が発生したと判定して、投入部１２の分離繰出機構２０を停止させて投入部１２からの紙幣Ｓの繰り出しを停止状態とするとともに、搬送部２５に残留している搬送中の紙幣Ｓを識別部３０の識別結果に基づいてリジェクト口１３および一時貯留部３２のいずれか対応する一方に搬送して、参考技術と同様の集積不良対応処理を行う。つまり、制御部５５は、満杯を検知する最上位置の紙幣検知部６２以外の紙幣検知部６２が紙幣Ｓを検知したときには、集積不良が発生したと判定して初めて、投入部１２からの紙幣Ｓの繰り出しを停止させる。
【００７０】
また、入金処理中に、ラインセンサ６１のうちの最上位置の紙幣検知部６２が、紙幣Ｓを検知すると、制御部５５は、まず、投入部１２の分離繰出機構２０を一旦停止させて投入部１２からの紙幣Ｓの繰り出しを停止状態とするとともに、搬送部２５に残留している搬送中の紙幣Ｓを識別部３０の識別結果に基づいてリジェクト口１３および一時貯留部３２のいずれか対応する一方に搬送する。これに並行して、制御部５５は、この今回紙幣Ｓを検知した最上位置の紙幣検知部６２よりも下側のすべての紙幣検知部６２が紙幣Ｓを検知しているか否かを判定する。
【００７１】
この判定で、最上位置の紙幣検知部６２よりも下側の少なくともいずれか一つの紙幣検知部６２が紙幣Ｓを検知していなければ、集積不良が発生したと判定して、投入部１２からの紙幣Ｓの繰り出しを停止状態に維持したまま、参考技術と同様の集積不良対応処理を行う。
【００７２】
他方、上記判定で、最上位置の紙幣検知部６２より下側のすべての紙幣検知部６２が紙幣Ｓを検知していれば、制御部５５は、この検知時点で一時貯留部３２に貯留している紙幣Ｓの貯留枚数を、予め別途記憶している、最上位置の紙幣検知部６２用の所定の閾値と比較する。この所定の閾値は、一時貯留部３２内が満杯であると判定する下限枚数である。そして、制御部５５は、一時貯留部３２の貯留枚数が閾値以上であれば、一時貯留部３２が満杯であると判定して、投入部１２からの紙幣Ｓの繰り出しを停止状態に維持したまま、参考技術と同様の満杯対応処理を行う。
【００７３】
他方、制御部５５は、最上位置の紙幣検知部６２による紙幣Ｓの検知時点で一時貯留部３２に貯留している紙幣Ｓの貯留枚数が、最上位置の紙幣検知部６２用の所定の閾値より少なければ、集積不良が発生したと判定して、投入部１２からの紙幣Ｓの繰り出しを停止状態に維持したまま、参考技術と同様の集積不良対応処理を行う。
【００７４】
以上に述べた第１実施形態によれば、複数の紙幣検知部６２のうちのいずれか一つの紙幣検知部６２が、一時貯留部３２内の紙幣Ｓを検知すると、制御部５５が、記憶している一時貯留部３２内の紙幣Ｓの貯留枚数とこの紙幣検知部６２用の個別の閾値とを比較し、貯留枚数が閾値より少なければ集積不良が発生したと判定することになり、このような判定をすべての紙幣検知部６２による紙幣Ｓの検知において行うため、複数の高さ位置で集積不良を検出することができる。したがって、集積不良の検出精度を高めることができる。
【００７５】
また、紙幣検知部６２が三つ以上設けられ、これら紙幣検知部６２が同一直線上に連続的に配置されているため、集積不良の検出精度をさらに高めることができる。また、ラインセンサ６１を用いることができるため、取り付け等が容易になる。ラインセンサ６１を用いることで、紙幣Ｓの検知密度能力が向上し、集積不良をより精度良く判定できる。しかも、紙幣Ｓを一枚毎に検知可能なものを用いれば、集積不良の原因となった紙幣Ｓを特定することも可能である。
【００７６】
また、複数の紙幣検知部６２のうち、最上位置のものは、一時貯留部３２の満杯状態を判断する高さの紙幣Ｓを検知するものであるため、満杯を検知する紙幣検知部６２を集積不良の判定に有効利用することができる。
【００７７】
また、制御部５５は、満杯を検知する最上位置の紙幣検知部６２以外の紙幣検知部６２が紙幣Ｓを検知したときには、集積不良が発生したと判定して初めて、投入部１２からの紙幣Ｓの繰り出しを停止させるため、最上位置の紙幣検知部６２以外の紙幣検知部６２が紙幣Ｓを検知しても集積不良が発生していなければ、投入部１２からの紙幣Ｓの繰り出しを停止させることがない。よって、集積不良が発生していない状態での処理の時間を短縮できる。また、集積不良が発生したと判定すると、投入部１２からの紙幣Ｓの繰り出しを停止させるため、無駄に計数する紙幣Ｓの数を減らすことができ、返却部５１に返却される紙幣を減らすことができて再計数する紙幣Ｓの数を減らすことができる。
【００７８】
なお、制御部５５は、満杯を検知する最上位置の紙幣検知部６２以外の紙幣検知部６２が紙幣Ｓを検知したときに、一旦分離繰出機構２０を停止させて、投入部１２からの紙幣Ｓの繰り出しを停止させるとともに、これに並行して集積不良の有無を判定し、集積不良が発生したと判定すると、投入部１２からの紙幣Ｓの繰り出しを停止状態に維持したまま一時貯留部３２の紙幣Ｓを返却部５１で返却可能とする一方、集積不良が発生していないと判定すると、投入部１２からの紙幣Ｓの繰り出しを再開させるようにしても良い。
【００７９】
つまり、入金処理中に、ラインセンサ６１のうちの最上位置の紙幣検知部６２を除く紙幣検知部６２が、紙幣Ｓを検知すると、制御部５５は、まず、投入部１２の分離繰出機構２０を一旦停止させて投入部１２からの紙幣Ｓの繰り出しを停止状態とするとともに、搬送部２５に残留している搬送中の紙幣Ｓを識別部３０の識別結果に基づいてリジェクト口１３および一時貯留部３２のいずれか対応する一方に搬送する。これと並行して、制御部５５は、この今回紙幣Ｓを検知した紙幣検知部６２よりも下側のすべての紙幣検知部６２が紙幣Ｓを検知しているか否かを判定する。
【００８０】
この判定で、今回紙幣Ｓを検知した紙幣検知部６２よりも下側の少なくともいずれか一つの紙幣検知部６２が紙幣Ｓを検知していなければ、集積不良が発生したと判定して、投入部１２からの紙幣Ｓの繰り出しを停止状態に維持したまま、参考技術と同様の集積不良対応処理を行う。
【００８１】
他方、上記判定で、今回紙幣Ｓを検知した紙幣検知部６２よりも下側のすべての紙幣検知部６２が紙幣Ｓを検知していれば、制御部５５は、この検知時点で一時貯留部３２に貯留している紙幣Ｓの貯留枚数を、予め別途記憶している、今回紙幣Ｓを検知した紙幣検知部６２用の所定の閾値と比較する。そして、制御部５５は、一時貯留部３２の貯留枚数が閾値以上であれば、集積不良が生じていないと判定して、再び分離繰出機構２０を駆動して、投入部１２からの紙幣Ｓの繰り出しを再開させて入金処理を継続することになる。
【００８２】
また、制御部５５は、上記比較で、ラインセンサ６１のうちの最上位置の紙幣検知部６２を除く紙幣検知部６２による紙幣Ｓの検知時点で一時貯留部３２に貯留している紙幣Ｓの貯留枚数が、予め別途記憶している、今回紙幣Ｓを検知した紙幣検知部６２用の所定の閾値より少なければ、集積不良が発生したと判定して、投入部１２からの紙幣Ｓの繰り出しを停止状態に維持したまま、参考技術と同様の集積不良対応処理を行う。
【００８３】
また、入金処理中に、ラインセンサ６１のうちの最上位置の紙幣検知部６２が、紙幣Ｓを検知すると、制御部５５は、まず、投入部１２の分離繰出機構２０を停止させて投入部１２からの紙幣Ｓの繰り出しを一旦停止状態とするとともに、搬送部２５に残留している搬送中の紙幣Ｓを識別部３０の識別結果に基づいてリジェクト口１３および一時貯留部３２のいずれか対応する一方に搬送する。これと並行して、制御部５５は、この今回紙幣Ｓを検知した最上位置の紙幣検知部６２よりも下側のすべての紙幣検知部６２が紙幣Ｓを検知しているか否かを判定する。
【００８４】
この判定で、最上位置の紙幣検知部６２より下側の少なくともいずれか一つの紙幣検知部６２が紙幣Ｓを検知していなければ、集積不良が発生したと判定して、投入部１２からの紙幣Ｓの繰り出しを停止状態に維持したまま、参考技術と同様の集積不良対応処理を行う。
【００８５】
他方、上記判定で、最上位置の紙幣検知部６２より下側のすべての紙幣検知部６２が紙幣Ｓを検知していれば、制御部５５は、この検知時点で一時貯留部３２に貯留している紙幣Ｓの貯留枚数を、予め別途記憶している、最上位置の紙幣検知部６２用の所定の閾値と比較する。この所定の閾値は、一時貯留部３２内が、満杯であると判定できる下限枚数である。そして、制御部５５は、一時貯留部３２の貯留枚数が閾値以上であれば、一時貯留部３２が満杯であると判定して、投入部１２からの紙幣Ｓの繰り出しを停止状態に維持したまま、参考技術と同様の満杯対応処理を行う。
【００８６】
他方、制御部５５は、最上位置の紙幣検知部６２による紙幣Ｓの検知時点で一時貯留部３２に貯留している紙幣Ｓの貯留枚数が、最上位置の紙幣検知部６２用の所定の閾値より少なければ、集積不良が発生したと判定して、投入部１２からの紙幣Ｓの繰り出しを停止状態に維持したまま、参考技術と同様の集積不良対応処理を行う。
【００８７】
このように制御すれば、集積不良が発生している状態で紙幣Ｓが一時貯留部３２に送り込まれることを防止でき、集積不良を悪化させてしまうことを確実に防止できる。
【００８８】
なお、以上の参考技術，第１実施形態では、一時貯留部３２が、既に貯留している紙幣Ｓの上側に順次紙幣を放出して、下から上に順に紙幣Ｓを集積するものを例にとり説明したが、図７に示すように、搬送路２７を一時貯留部３２の下部に接続させるとともに一時貯留部３２の下部に搬送路２７からの紙幣Ｓを、既に貯留している紙幣Ｓの下側に順次紙幣Ｓを潜り込ませて、上から下に順に集積させるものに適用も可能である。この場合、参考技術のように上側から紙幣Ｓを送り込むものでは必要であった、紙幣Ｓの紙幣検知センサ５３あるいは紙幣検知部６２による検知を、送り込み時の一時的なものと集積によるものとに区別する必要がなくなり、誤検知の可能性を低減できることになる。
【００８９】
また、参考技術，第１実施形態では、返却部５１が一時貯留部３２を開放可能な扉４８を有しており、返却時には、操作者が開状態の扉４８を開いて一時貯留部３２の紙幣Ｓを取り出す場合を例にとり説明したが、一時貯留部３２に紙幣Ｓを繰り出す繰出機構を設けて、紙幣Ｓを返却口に繰り出すようにしても良い。この場合は、参考技術の紙幣検知センサ５３や第１実施形態の紙幣検知部６２での集積不良の検知タイミングから、集積不良の原因となった紙幣Ｓをある程度推測し、その紙幣Ｓが完全に返却されるまで返却して、残りは一時貯留部３２に残すことも可能であり、さらに原因となった紙幣Ｓを返却した後に、入金処理を自動的に再開させるようにしても良い。
【００９０】
また、参考技術，第１実施形態では、紙幣Ｓの長手方向に一つの紙幣検知センサ５３あるいは紙幣検知部６２を設ける場合を例にとり説明したが、同じ高さ位置で紙幣Ｓの長手方向に複数の紙幣検知センサ５３あるいは紙幣検知部６２を設けるようにしても良い。勿論、紙幣Ｓを短手方向に沿う姿勢で搬送する場合でも、紙幣Ｓの短手方向に一つの紙幣検知センサ５３あるいは紙幣検知部６２を設けたり、同じ高さ位置で紙幣Ｓの短手方向に複数の紙幣検知センサ５３あるいは紙幣検知部６２を設けるようにしても良い。
【符号の説明】
【００９１】
１１  紙幣処理機
１２  投入部
３０  識別部
３２  一時貯留部
４０  収納金庫（収納部）
５１  返却部
５３  紙幣検知センサ（検知手段，満杯検知手段）
５５  制御部（記憶手段，判定手段，制御手段）
５６  表示部（案内手段）
６１  ラインセンサ
６２  紙幣検知部（検知手段）
Ｓ  紙幣
【図１】
0005386326.tif 000002
【図２】
0005386326.tif 000003
【図３】
0005386326.tif 000004
【図４】
0005386326.tif 000005
【図５】
0005386326.tif 000006
【図６】
0005386326.tif 000007
【図７】
0005386326.tif 000008